【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）によって実行される方法であって、
前記ＷＴＲＵが、第１の周波数範囲を通じて無線リソース制御（ＲＲＣ）メッセージを受信するステップであって、前記ＲＲＣメッセージは、追加の帯域幅構成を含み、前記追加の帯域幅構成は、少なくとも第２の周波数範囲についての構成を含み、前記第２の周波数範囲についての前記構成は、前記第２の周波数範囲についての周波数情報および前記第２の周波数範囲についての帯域幅情報を含む、ステップと、
前記ＷＴＲＵが、前記第１の周波数範囲を通じて第１の物理ダウンリンク制御チャネル（ＰＤＣＣＨ）送信を受信するステップであって、前記第１のＰＤＣＣＨ送信は、第１のダウンリンク制御情報（ＤＣＩ）を含み、前記第１のＤＣＩは、前記第２の周波数範囲を通じて受信されることになるダウンリンク送信に対するダウンリンク割り当てを含み、前記第１のＤＣＩは、前記ＷＴＲＵが前記第２の周波数範囲を通じたＰＤＣＣＨ送信を監視することを開始することになることを示す、ステップと、
前記ＷＴＲＵが、前記第１のＤＣＩに従って、前記第２の周波数範囲を通じて前記ダウンリンク送信を受信するステップと、
前記ＷＴＲＵが、前記第１のＤＣＩに基づいて、前記第２の周波数範囲を通じたＰＤＣＣＨ送信を監視するステップと、
を備えたことを特徴とする方法。
【請求項２】
前記ＷＴＲＵは、前記ＷＴＲＵが前記第１のＤＣＩを受信するまで、前記追加の帯域幅構成の受信の後に前記第２の周波数範囲が非活性になると見なす、ことを特徴とする請求項１に記載の方法。
【請求項３】
前記第１の周波数範囲は、第１のダウンリンクコンポーネントキャリアに対応し、前記第２の周波数範囲は、第２のダウンリンクコンポーネントキャリアに対応する、ことを特徴とする請求項１に記載の方法。
【請求項４】
前記第１のＤＣＩは、前記ダウンリンク送信を受信するために使用される前記第２の周波数範囲の物理リソースブロック（ＰＲＢ）のインジケーション、ならびに前記ダウンリンク送信と関連付けられた変調および符号化セット（ＭＣＳ）情報を含む、
ことを特徴とする請求項１に記載の方法。
【請求項５】
前記ＷＴＲＵが、前記第２の周波数範囲に対する無効化タイマが満了したと判定するステップと、
前記ＷＴＲＵが、前記第２の周波数範囲に対する前記無効化タイマの前記満了に応答して、前記第２の周波数範囲を通じたＰＤＣＣＨ送信を監視することを停止するステップと、
を更に備えたことを特徴とする請求項１に記載の方法。
【請求項６】
前記追加の帯域幅構成は、複数の周波数範囲についての構成を含み、前記第１のＤＣＩは、前記ＷＴＲＵが前記複数の周波数範囲のどれを通じたＰＤＣＣＨ送信を監視することになるかを示すフィールドを含む、ことを特徴とする請求項１に記載の方法。
【請求項７】
前記第１のＤＣＩにおける前記フィールドは、ビット組み合わせフィールドである、ことを特徴とする請求項６に記載の方法。
【請求項８】
前記ＲＲＣメッセージは、前記第２の周波数範囲に識別子を割り付け、前記ビット組み合わせフィールドは、前記割り付けられた識別子に基づいた前記第２の周波数範囲を示す、ことを特徴とする請求項７に記載の方法。
【請求項９】
前記ＷＴＲＵが、第２のＰＤＣＣＨ送信を受信するステップであって、前記第２のＰＤＣＣＨ送信は、前記第２の周波数範囲を通じて受信され、前記第２のＰＤＣＣＨ送信は、第２のＤＣＩを含み、前記第２のＤＣＩは、前記ＷＴＲＵが、前記第１の周波数範囲を通じたＰＤＣＣＨ送信を監視することになることを示す、ステップと、
前記ＷＴＲＵが、前記第２のＤＣＩを受信することに基づいて、前記第１の周波数範囲を通じたＰＤＣＣＨ送信を監視するステップと、
を更に備えたことを特徴とする請求項１に記載の方法。
【請求項１０】
前記ＷＴＲＵは、前記第１のＤＣＩを受信することに基づいて、前記第１の周波数範囲を通じたＰＤＣＣＨ送信を監視することを停止する、ことを特徴とする請求項１に記載の方法。
【請求項１１】
プロセッサおよびメモリを備えた  無線送受信ユニット（ＷＴＲＵ）であって、前記プロセッサは、
第１の周波数範囲を通じて無線リソース制御（ＲＲＣ）メッセージを受信し、前記ＲＲＣメッセージは、追加の帯域幅構成を含み、前記追加の帯域幅構成は、少なくとも第２の周波数範囲についての構成を含み、前記第２の周波数範囲についての前記構成は、前記第２の周波数範囲についての周波数情報および前記第２の周波数範囲についての帯域幅情報を含み、
前記第１の周波数範囲を通じて第１の物理ダウンリンク制御チャネル（ＰＤＣＣＨ）送信を受信し、前記第１のＰＤＣＣＨ送信は、第１のダウンリンク制御情報（ＤＣＩ）を含み、前記第１のＤＣＩは、前記第２の周波数範囲を通じて受信されることになるダウンリンク送信に対するダウンリンク割り当てを含み、前記第１のＤＣＩは、前記ＷＴＲＵが前記第２の周波数範囲を通じたＰＤＣＣＨ送信を監視することを開始することになることを示し、
前記第１のＤＣＩに従って、前記第２の周波数範囲を通じて前記ダウンリンク送信を受信し、
前記第１のＤＣＩに基づいて、前記第２の周波数範囲を通じたＰＤＣＣＨ送信を監視する、
ように構成されていることを特徴とするＷＴＲＵ。
【請求項１２】
前記プロセッサは、前記ＷＴＲＵが前記第１のＤＣＩを受信するまで、前記追加の帯域幅構成の受信の後に前記第２の周波数範囲が非活性になると見なすように構成されている、ことを特徴とする請求項１１に記載のＷＴＲＵ。
【請求項１３】
前記第１の周波数範囲は、第１のダウンリンクコンポーネントキャリアに対応し、前記第２の周波数範囲は、第２のダウンリンクコンポーネントキャリアに対応する、ことを特徴とする請求項１１に記載のＷＴＲＵ。
【請求項１４】
前記第１のＤＣＩは、前記ダウンリンク送信を受信するために使用される前記第２の周波数範囲の物理リソースブロック（ＰＲＢ）のインジケーション、ならびに前記ダウンリンク送信と関連付けられた変調および符号化セット（ＭＣＳ）情報を含む、ことを特徴とする請求項１１に記載のＷＴＲＵ。
【請求項１５】
前記プロセッサは、
前記第２の周波数範囲に対する無効化タイマが満了したと判定し、
前記第２の周波数範囲に対する前記無効化タイマの前記満了に応答して、前記第２の周波数範囲を通じたＰＤＣＣＨ送信を監視することを停止する、
ように更に構成されている、ことを特徴とする請求項１１に記載のＷＴＲＵ。
【請求項１６】
前記追加の帯域幅構成は、複数の周波数範囲についての構成を含み、前記第１のＤＣＩは、前記ＷＴＲＵが前記複数の周波数範囲のどれを通じたＰＤＣＣＨ送信を監視することになるかを示すフィールドを含む、ことを特徴とする請求項１１に記載のＷＴＲＵ。
【請求項１７】
前記第１のＤＣＩにおける前記フィールドは、ビット組み合わせフィールドである、ことを特徴とする請求項１６に記載のＷＴＲＵ。
【請求項１８】
前記ＲＲＣメッセージは、前記第２の周波数範囲に識別子を割り付け、前記ビット組み合わせフィールドは、前記割り付けられた識別子に基づいた前記第２の周波数範囲を示す、ことを特徴とする請求項１７に記載のＷＴＲＵ。
【請求項１９】
前記プロセッサは、
第２のＰＤＣＣＨ送信を受信し、前記第２のＰＤＣＣＨ送信は、前記第２の周波数範囲を通じて受信され、前記第２のＰＤＣＣＨ送信は、第２のＤＣＩを含み、前記第２のＤＣＩは、前記ＷＴＲＵが、前記第１の周波数範囲を通じたＰＤＣＣＨ送信を監視することになることを示し、
前記第２のＤＣＩを受信することに基づいて、前記第１の周波数範囲を通じたＰＤＣＣＨ送信を監視する、
ように更に構成されている、ことを特徴とする請求項１１に記載のＷＴＲＵ。
【請求項２０】
前記プロセッサは、前記第１のＤＣＩを受信することに基づいて、前記第１の周波数範囲を通じたＰＤＣＣＨ送信を監視することを停止するように更に構成されている、ことを特徴とする請求項１１に記載のＷＴＲＵ。
【請求項２１】
プロセッサおよびメモリを備えた  無線送受信ユニット（ＷＴＲＵ）であって、前記プロセッサは、
無線リソース制御（ＲＲＣ）メッセージを受信し、前記ＲＲＣメッセージは、追加の帯域幅構成を含み、前記追加の帯域幅構成は、アップリンク送信に対して少なくとも第２の周波数範囲を使用するための構成を含み、前記ＷＴＲＵは、アップリンク送信に対して少なくとも第１の周波数範囲を使用するように予め構成され、前記第２の周波数範囲についての前記構成は、前記第２の周波数範囲についての周波数情報および前記第２の周波数範囲についての帯域幅情報を含み、
前記第１の周波数範囲を通じて第１の物理アップリンク制御チャネル（ＰＵＣＣＨ）送信を送信し、
物理ダウンリンク制御チャネル（ＰＤＣＣＨ）送信を受信し、前記ＰＤＣＣＨ送信は、ダウンリンク制御情報（ＤＣＩ）を含み、前記ＤＣＩは、前記ＷＴＲＵが、前記第２の周波数範囲を通じてＰＵＣＣＨ送信を送信することを開始することになることを示し、
前記ＤＣＩを受信することに基づいて、前記第２の周波数範囲を通じて第２のＰＵＣＣＨ送信を送信する、
ように構成されていることを特徴とするＷＴＲＵ。
【請求項２２】
前記プロセッサは、前記ＷＴＲＵが前記ＤＣＩを受信するまで、前記第２の周波数範囲についての前記構成を含む前記追加の帯域幅構成の受信の後に前記第２の周波数範囲が非活性になると見なすように更に構成されている、ことを特徴とする請求項２１に記載のＷＴＲＵ。
【請求項２３】
前記プロセッサは、
前記第２の周波数範囲に対する無効化タイマが満了したと判定し、
前記第２の周波数範囲に対する前記無効化タイマの前記満了に応答して、前記第１の周波数範囲を通じてＰＵＣＣＨ送信を送信する、
ように更に構成されている、ことを特徴とする請求項２１に記載のＷＴＲＵ。